(57)【特許請求の範囲】
【請求項１】
使い捨て吸収性製品であって、
透明な窓を有するパッケージと、
該パッケージ内に積み重ねて収納した個々に包まれた複数個の使い捨て吸収性物品とを含み、
各吸収性物品が、長手方向中心線及び横断方向中心線を有し、また（１）衣類に面する表面を有する液体不透過性バックシートと、（２）着用者の下着に該吸収性物品を取り付けるために該バックシートの該衣類に面する表面に長手方向に配置した接着手段と、（３）該バックシートを個々に包むための包みシートとを含み、該接着手段が、該バックシートの該衣類に面する表面と該包みシートの間に配置されて、
該接着手段が、少なくとも１箇所の非接着セクションで該長手方向中心線に沿って互いに間隔をあけた複数箇所の接着セクションを含み、該包みシートが、該接着手段、及び該バックシートの該衣類に面する表面を覆い、各吸収性物品が、該非接着セクションで該接着手段と交差する少なくとも１本の折り畳み線付近で折り畳まれ、
各吸収性物品の該折り畳み線が該パッケージの該透明な窓に向いて位置するように、該個々に包まれて積み重ねられた複数個の吸収性物品が、該透明な窓と関連して配置されている使い捨て吸収性製品。
【請求項２】
使い捨て吸収性製品であって、該包みシートが不織布材を含む請求項１に記載の製品。
【請求項３】
使い捨て吸収性製品であって、
該パッケージが、前側パネル、該前側パネルに対向する後側パネル、該前側パネルと該後側パネルを接続する２枚のサイドパネル、上部パネル、及び該上部パネルに対向する底部パネルを含み、該上部パネル及び該底部パネルが該前側パネル、該後側パネル、及び該サイドパネルを接続し、
該透明な窓が該前側パネルに形成され、また
該個々に包まれた複数個の吸収性物品が、該２枚のサイドパネル又は該上部及び底部パネルに垂直な方向に積み重なる請求項１に記載の製品。
【請求項４】
使い捨て吸収性製品であって、
該少なくとも１本の折り畳み線が、第１折り畳み線及び第２折り畳み線を含み、
各吸収性物品が、該第１及び第２折り畳み線付近で折り畳まれ、
該第１折り畳み線が、該非接着セクションで該接着手段と交差し、
各吸収性物品の該第１折り畳み線が該パッケージの該透明な窓に向いて位置するように、該個々に包まれて積み重ねられた複数個の該吸収性物品が、該透明な窓と関連して配置されている請求項１に記載の製品。
【請求項５】
使い捨て吸収性製品であって、該使い捨て吸収性製品が、生理用ナプキン又はパンティライナーである請求項１に記載の製品。
【請求項６】
使い捨て吸収性製品であって、各吸収性物品の該複数箇所の接着セクションが、該包みシート及び該透明な窓を通して見えない請求項１に記載の製品。
【発明の詳細な説明】
【技術分野】
【０００１】
本発明は、使い捨て吸収性物品に関する。より具体的には、本発明は、透明な窓を有するパッケージに使い捨て吸収性物品を収納した使い捨て吸収性製品に関する。
【背景技術】
【０００２】
生理用ナプキン、パンティライナー、おむつ、及び失禁症用パッドなど、使い捨て吸収性物品は、典型的には、下着の股区域で装着されるデバイスである。より具体的には、例えば、生理用ナプキン及びパンティライナーは、女性によってパンティ内に装着され、通常は着用者の脚の間で会陰部に隣接して位置する。それらは、女性の体からの体液又は排泄物（例えば、尿及び経血）を吸収して保持し、身体及び衣類が汚れるのを防ぐように設計されている。体液を収容するために、現在、多種多様の使い捨て吸収性物品が多くのユーザによって使用されている。
【０００３】
生理用ナプキン及びパンティライナーは、包みシートで個々に包まれて、個々に包まれた形態を形成することが多いことが当該技術分野において既知である。そのような個々に包まれた生理用ナプキン及びパンティライナーは、製品の清潔さ（外観の清潔なイメージを含めて）を提供できるので、消費者に好まれることが多い。そのように個々に包装する技術又は構造が、例えば、米国特許第６，０７４，３７６号（ミルズ（Mills）、２０００年６月１３日発行）、同５，５６９，２２８号（バード（Byrd）ら、１９９６年１０月２９日発行）、及び同５，４１３，５６８号（ローチ（Roach）ら、１９９５年５月９日発行）に開示されている。各使い捨て吸収性物品が包みシートで個々に包まれた後、個々に包まれた使い捨て吸収性物品は、典型的には、積み重ねられて、可撓性バッグ又は厚紙の箱などのパッケージに収納される。これらのパッケージは、市場だけでなくユーザの家庭でも、収納した吸収性物品を取り扱うのに便利である。
【０００４】
透明な窓は、パッケージ内に収納した吸収性物品を実際に見せることができ、その結果、消費者がその窓を通して吸収性物品についてのイメージ及び／又は情報（例えば、同物品の大きさ及び厚さ）を直接得ることができるので、そのような透明な窓を有するパッケージが消費者（又はユーザ）に好まれることが最近、認められている。これは消費者の強い注意を引くために美的特徴（例えば、物品上に転写したグラフィック）を有する最近の使い捨て吸収性物品では、特に重要である。
【０００５】
しかし、パッケージに透明な窓を設けると、パッケージ内の吸収性物品に重大な問題を起こすことがあることも判明した。特に、パッケージ内の使い捨て吸収性物品は、透明な窓を通してパッケージ内部に入る紫外線によって影響を受ける傾向がある。個々に包まれた吸収性物品の包みシート材料が、紫外線に対して低レベルの防護性（すなわち、高い光透過率）を有する場合、この問題は特に重大である。例えば、包みシートが不織布材（一般に、紫外線に対して低レベルの防護性を有する）で形成されている場合、不織布材は紫外線に対して充分な防護性を提供しないので、接着材料など、使い捨て吸収性物品の構成成分の材料が、紫外線によって容易に影響を受ける傾向がある。これは、典型的には、接着材料の黄ばみ（すなわち、色の変化）、時には、硬化を引き起こし、その結果、収納した吸収性物品の良好な外観、加えてその品質を損なう。
【発明の開示】
【発明が解決しようとする課題】
【０００６】
故に、紫外線に対する充分な防護性を有するパッケージに吸収性物品を収納した使い捨て吸収性製品の必要性がある。吸収性物品において使用される接着材料の黄ばみ又は硬化を防ぐことができるパッケージに吸収性物品を収納した使い捨て吸収性製品のもう１つの必要性もある。
【課題を解決するための手段】
【０００７】
本発明は、透明な窓を有するパッケージと、積み重ねてパッケージ内に収納した個々に包まれた複数個の使い捨て吸収性物品とを含む使い捨て吸収性製品に関する。各吸収性物品は、長手方向中心線及び横断方向中心線を有し、また（１）衣類に面する表面を有する液体不透過性バックシートと、（２）着用者の下着に該吸収性物品を取り付けるために該バックシートの該衣類に面する表面に長手方向に配置した接着手段と、（３）バックシートを個々に包むための包みシートとを含む。接着手段は、バックシートの衣類に面する表面と包みシートの間に配置される。接着手段は、少なくとも１箇所の非接着セクションで該長手方向中心線に沿って互いに空間をあけた複数箇所の接着セクションを含む。包みシートは、接着手段、及びバックシートの衣類に面する表面を覆う。各吸収性物品は、非接着セクションで接着手段と交差する少なくとも１本の折り畳み線付近で折り畳まれる。各吸収性物品の折り畳み線がパッケージの透明な窓に向いて位置するように、個々に包まれて積み重ねられた複数個の吸収性物品は、透明な窓と関連して配置される。
【０００８】
各吸収性物品は、非接着セクションで接着手段と交差する折り畳み線付近で折り畳まれるので、個々に包まれ、折り畳まれた吸収性物品は、接着セクションを含まない少なくとも１つの縁部分を有する。パッケージ内で、接着セクションを含まない縁部分が、パッケージの透明な窓に向いて位置する。結果として、接着手段は、透明な窓を通して入る紫外線によって引き起こされる黄ばみから防護され得る。
【発明を実施するための最良の形態】
【０００９】
本明細書において、「含む」及び「包含する」は、最終結果に影響を与えない他の要素及び／又は工程を付加できることを意味する。これらの用語はそれぞれ、「から成る」及び「から本質的に成る」という用語を包含する。
【００１０】
本明細書において、「吸収性物品」は、体液などの身体浸出物又は排泄物を吸収し、封入する物品を指し、生理用ナプキン、パンティライナー、おむつ、及び失禁パッド（及び衣類の股領域に装着される他の物品）を含むことを意図する。本発明は、好ましくは、生理用ナプキン又はパンティライナーに適用される。
【００１１】
本明細書において、「使い捨て」は、一回使用した後に廃棄したり、堆肥にしたり、又はさもなければ環境に適合した方法で処分することを意図する物品を指す。（すなわち、洗濯するか、別の方法で復元するか、又は吸収性物品として再使用することを意図していない。）
本明細書において、用語「生理用ナプキン」は、女性が外陰部に隣接して着用する物品であって、身体から排泄される種々の浸出物（例えば、血液、経血、及び尿）を吸収し、封入することを意図する物品を指す。
【００１２】
本明細書において、「接合される」は、ある要素を別の要素に直接的に取り付けることによって、前記要素を別の要素に直接的に固定する形態；前記要素を中間部材に取り付け、次いで、その中間部材を別の要素に取り付けることによって、前記要素を別の要素に間接的に固定する形態；及びある要素が別の要素と一体になる形態、すなわち、ある要素が本質的には別の要素の一部になっている形態を包含する。
【００１３】
本明細書において、「身体に面する表面」は、着用者の身体に面する、吸収性物品及び／又はそれらの構成要素の部材の表面を指し、一方、「衣類に面する表面」という用語は、吸収性物品を着用した時に着用者から離れて面する、吸収性物品及び／又はそれらの構成要素の部材の対向する表面を指す。トップシート、バックシート、吸収性コア、及びそれらの構成要素のいかなる個々の層も含む吸収性物品及びその構成要素は、身体に面する表面と衣類に面する表面を有する。
【００１４】
図１は、本発明の好ましい１つの実施形態である生理用ナプキン２０（すなわち、使い捨て吸収性物品）の平面図である。図１に関し、生理用ナプキン２０（及びその構成要素の部材）は、身体に面する表面２２と、同表面２２に対向する衣類に面する表面２４とを有する。生理用ナプキン２０は、３つの主要構成要素、すなわち、液体透過性トップシート３２、液体不透過性バックシート３４、トップシート３２とバックシート３４の間に配置した吸収性コア３６を含む。これら３つの主要構成要素で形成される部分は、本明細書では以後、生理用ナプキン２０の「本体部分」と称する。
【００１５】
生理用ナプキン２０は、長手方向中心線Ｌと横断方向中心線Ｔの２本の中心線を有する。本明細書において、「長手方向」は、生理用ナプキン２０を着用した時に、直立した着用者の身体を左右に二等分する垂直平面とほぼ一直線に並ぶ（すなわち、ほぼ平行な）生理用ナプキン２０の平面内の線、軸、又は方向を指す。本明細書において、「横断方向」又は「横方向」は互換可能であり、長手方向にほぼ垂直な生理用ナプキン２０の平面内の線、軸、又は方向を指す。
生理用ナプキン２０の本体部分は、包みシート２６の身体に面する表面２２に配置される。生理用ナプキン２０は、同ナプキン２０の本体部分の最も外側縁部を画定する周辺縁部２９を有する。
生理用ナプキン２０は、長手方向に配置した接着手段（図１に示さず）と、（２）生理用ナプキン２０を個々に包むための包みシート２６とを更に含む。接着手段は、バックシート３４の衣類に面する表面２４と包みシート２６との間に配置される、いかなる目的のためのいかなるタイプの接着材料を含んでもよいことに注意されたい。
【００１６】
次に検討される好ましい実施形態では、接着手段は、典型的には、接着固定手段及び／又は接着ファスナを含み、その各々（又は両方）が、本明細書で次に詳細に検討されるように、少なくとも１箇所の非接着セクションで互いに空間をあけた複数箇所の接着セクションを含む。包みシート２６は、接着手段と、生理用ナプキン２０の衣類に面する表面２４とを覆う。生理用ナプキン２０は、非接着セクションで接着手段と交差する少なくとも１本の折り畳み線に沿って折り畳まれる。
【００１７】
図２は、より良く理解するために接着ファスナ及び包みシートが取り除かれた、図１の生理用ナプキン２０の底面図である。生理用ナプキン２０は、同ナプキン２０を着用者の下着に取り付けるためにバックシート３４の衣類に面する表面２４に配置した接着ファスナ３８を更に含む。そのような接着ファスナ３８は、中央パッド接着剤又はパンティ固定用接着剤と称されることが多い。当該技術分野において既知のいかなる接着材料が、この接着ファスナ３８として使用されてもよい。好ましくは、感圧接着剤が接着ファスナ３８として使用される。接着ファスナとして特に好ましい材料は、フラー・ジャパン社（H.B.Fuller Japan Co.,Ltd.）（浜松市）からＨＬ−１４６１−ＡＺＰのコード番号で供給される感圧接着剤である。
【００１８】
図１及び図２に示される実施形態では、当該技術分野において既知のいかなる好適な形態（図６及び図７に説明されるものを含めて）で接着ファスナ３８を設けてもよい。好ましくは、接着ファスナ３８は、図２に示されるような長手方向中心線Ｌ付近に中心を置く、空間をあけて長手方向を向く、接着剤の１対のストリップ又は領域の形体で設けられる。
【００１９】
図３は、よりよく理解するために包みシート２６が取り除かれた、図１に示される生理用ナプキン２０の底面図である。図３に示されるように、生理用ナプキン２０は、使用前の接着ファスナ３８を保護するために、取り外し可能な剥離ライナー３０を更に含む。取り外し可能な剥離ライナー３０は、接着ファスナ３８で、取り外し可能に貼着される。本明細書では、「取り外し可能に貼着」は、どちらの構成要素も破壊されるか又は不当にゆがむことなく、取り付けられても分離してもよい２つ又はそれ以上の構成要素の状態を指す。取り外し可能な剥離ライナー３０は、接着ファスナ３８が使用前に無関係な表面に付着するのも防ぐ。
【００２０】
好ましい実施形態では、生理用ナプキン２０の接着手段は、剥離ライナー３０を包みシート２６に固定するための複数箇所の接着セクションを含む接着固定手段を含む。複数箇所の接着セクションは、少なくとも１箇所の非接着セクションで互いに空間をあけている。図３の好ましい実施形態では、接着固定手段（４１、４２、及び４３）は、剥離ライナー３０を包みシート２６に固定するための複数箇所の接着セクション４１、４２、及び４３を含む。接着セクション４１、４２、及び４３は、２箇所の非接着セクション５１及び５２で互いに空間をあけている。当該技術分野において既知のいかなる接着材料が、接着固定手段として使用されてもよい。好ましくは、非感圧接着剤が接着固定手段として使用される。接着固定手段として特に好ましい材料は、ニッタ・フィンドレー社（Nitta Findley Co.,Ltd.）（大阪市）からＨ１５００Ｕのコード番号で供給される非感圧接着剤である。
【００２１】
本明細書において、「非接着セクション」は、１つの構成要素をもう１つの構成要素に取り付けるのに寄与する接着剤が実質的にない部分を指す。接着手段（又は接着セクション）が、接着の期待される機能（例えば、包みシート２６への剥離ライナー３０の取り付け、又は着用者の下着への生理用ナプキン２０の取り付け）を提供できる限り、非接着セクションは、隣接する２つの接着セクション間のいかなる長さであってもよい。しかし、接着セクション４１、４２、及び４３のどの部分も、本明細書において次に検討されるような個々に包まれた生理用ナプキン２０の縁部分まで来ないように、非接着セクションは充分な長さを有するべきである。
【００２２】
生理用ナプキン２０が２０５ｍｍの長手方向の長さを有し、剥離ライナー３０が１８１ｍｍの長手方向の長さを有する、図２に示される実施形態では、接着セクション４１、４２、及び４３は各々、５ｍｍ、１５ｍｍ、及び３３ｍｍの長手方向の長さを有し、非接着セクション５１及び５２は各々、４８ｍｍ及び５６ｍｍの長手方向の長さを有する。
【００２３】
好ましくは、取り外し可能な剥離ライナー３０は、包みシート材料、バックシート材料、又はトップシート材料など、他の構成要素の材料と比較して比較的低い光透過率を有する。好ましい実施形態では、取り外し可能な剥離ライナー３０は、約７０％未満の、好ましくは約２０〜６５％の範囲の、より好ましくは約３０〜５０％の範囲の光透過率を有する。取り外し可能な剥離ライナー３０についてのこれらの光透過率の範囲は、個々に包まれた生理用ナプキン２０が紫外線に曝される時、包みシート２６を通過することがある紫外線に対して接着材料（すなわち、接着セクション４１、４２、及び４３）に有効な防護を提供するために好ましい。
剥離ライナー３０は、紙材料、フィルム材、及び不織布材など、当該技術分野において既知のいかなる好適な材料で形成され得る。剥離ライナー３０は、好ましくは、剥離コーティング（好ましくはシリコーンコーティング）を設けているので、着用者が使用するために生理用ナプキン２０を包みシート２６から取り出す時、同ライナー３０は、いかなる破壊もなく接着ファスナ３８から剥離する。シリコーンをコーティングした剥離ライナー３０として好ましい紙材料は、アクロシル・ヨーロッパ社（Akrosil Europe B.V.）（オランダ、ポストバス）からＢＬ４０ｇＭＧＡシロックス（Silox）Ｄ３Ｈ／０タンポポ（Tampopo）のコード番号で供給される紙材料である。
【００２４】
図４は、包みシート２６が剥離ライナー３０の衣類に面する表面２６に取り付けられた、図１の生理用ナプキン２０の底面図である。剥離ライナー３０は、接着固定手段（すなわち、接着セクション４１、４２、及び４３）で包みシート２６の身体に面する表面２２に固定されている。包みシート２６は、好ましくは、生理用ナプキン２０の、後に説明する折り畳んで包まれる形態で同ナプキン２０を隠して保護するのに充分な面積を有する。好ましい実施形態では、包みシート２６は、個々に包まれた形態を形成するのに必要な封止面積を提供できる充分な長手方向ヘリ部及び横方向ヘリ部（すなわち、生理用ナプキン２０の本体部分の周辺縁部２９から充分な長手方向の距離及び横方向の距離）を有する。
【００２５】
包みシート２６は、紙材料、フィルム材、及び不織布材など、当該技術分野において既知のいかなる好適な材料から作製されてもよい。包みシート２６が、使用した生理用ナプキン２０を包んで処理するのに好適であるように、同シート２６は好ましくは、液体不透過性である薄い可撓性材料から製造される。例えば、ポリエチレンフィルム材及び不織布材がうまく働くことが判明した。
好ましい実施形態では、包みシート２６は、少なくとも約１０％、好ましくは約４５〜１００％の範囲の、より好ましくは約８０〜１００％の範囲の光透過率を有する。包みシート２６のこれらの光透過率の範囲は、同シート２６を通して生理用ナプキン２０の効果的な外観を提供するのに好ましい。これは生理用ナプキン２０が消費者の強い注意を引くために美的特徴（例えば、その上に転写したグラフィック）を有する時、特に重要である。
【００２６】
光透過率を測定するのに好ましい方法は、「試験方法」のセクションにおいて説明する。包みシート２６に特に好ましい材料は、三井化学株式会社（Mitsui Chemicals,Inc.）（東京）からＰＱ−１１９１のコード番号で入手できるスパンボンド・メルトブロウン・スパンボンド（ＳＭＳ）不織布である。この包みシート材料の光透過率は、約８８％である。
【００２７】
生理用ナプキン２０及び包みシート２６は、非接着セクションで接着手段（又は接着セクション）と交差する少なくとも１本の折り畳み線付近で折り畳まれる。折り畳み線は、何本であってもよいが、好ましくは１又は２本である。二重に折り畳んだ生理用ナプキン２０では、折り畳み線の数は１本である。あるいは、三重に折り畳んだ生理用ナプキンでは、折り畳み線の数は２本である。図１〜図８は、そのような三重に折り畳んだ生理用ナプキンの好ましい実施形態を示している。
【００２８】
折り畳み線はいかなる方向をとってもよいが、好ましくは、図１〜図７に示されるもののような横方向である。これらの好ましい実施形態では、生理用ナプキン２０及び包みシート２６は、非接着セクション５１、５２で接着手段（すなわち、接着セクション４１、４２、４３）と交差する、空間をあけて横方向に向いた２本の折り畳み線Ｆ１及びＦ２付近で折り畳まれる。本明細書では、「空間をあけて横方向に向いた折り畳み線」は、長手方向にずれた線を指し、横方向にほぼ平行であり、包みシート２６を含む生理用ナプキン２０がその付近で折り畳まれる。空間をあけて横方向に向いた折り畳み線Ｆ１及びＦ２付近で生理用ナプキン２０を折り畳むと、３つのセクション、すなわち、２つの外側のセクション６１及び６３で挟まれた、中間の中央セクション６２を画定する折り畳んだ配置をつくる。
【００２９】
図５は、包みシート２６で個々に包まれた生理用ナプキン２０の斜視図である。包みシート２６は、好ましくは、個々に包まれた形態で生理用ナプキン２０を維持する手段を含み、それによって、同ナプキン２０の個々に包まれた構造を完成する。好ましい１つの実施形態では、生理用ナプキン２０が図５に示されるように折り畳まれた後、包みシート２６の各長手方向側縁部６５がフランジ状に封止されて、フランジ状の封止６６を形成する。包みシート２６の側縁部６５のフランジ状の封止は、当該技術分野において既知のいかなる好適な封止技術で行われてもよい。例えば、長手方向側縁部６５は、ヒートシールされても、接着されても、超音波固着されてもよい。それによって、使用するために着用者が包みシート２６を取り除くまで、生理用ナプキン２０全体が保護される。生理用ナプキン２０の長手方向側縁部をフランジ状に封止するのに好適な方法が、米国特許第４，５５６，１４６号（スワンソン（Swanson）、１９８５年１２月３日発行）、同５，１８１，６１０号（クイック（Quick）ら、１９９３年１月２６日発行）、及び同５，４６２，１６６号（ミントン（Minton）ら、１９９５年１０月３１日発行）に開示されている。
【００３０】
好ましくは、生理用ナプキン２０を個々に包まれた形態で維持するための手段は、接着テープ状ひも６７を更に含む。接着テープ状ひも６７は、好ましくは、図１に示される包みシート２６の１つの末端部分６８に接合される。接着テープ状ひも６７は、好ましくは、包みシート２６に取り外し可能に取り付け可能である。接着テープ状ひも６７は、接着剤のスポット又はパッチなど、当該技術分野において既知のいかなる取り外し可能に取り付け可能な、また再密閉可能な材料からなってもよい。
好ましくは、個々に包まれた生理用ナプキン２０は、接着テープ状ひも６７が、図５に示されるような接着セクション４３の上に位置し得るように設計される。接着セクション４３の接着材料は、接着テープ状ひも６７が付着した位置の、包みシート２６の物理的強度を増すことができ、その結果、包みシート２６を開放するために接着テープ状ひも６７を取り除く時起こり得る材料の破壊を防ぐので、このデザインは好ましい。
【００３１】
図５に示されるように個々に包まれた生理用ナプキン２０は、４つの縁部７１〜７４（第１、第２、第３、及び第４縁部）を有する。第１及び第３縁部７１、７３は各々、生理用ナプキン２０を折り畳み線Ｆ１及びＦ２付近で折り畳むことによって形成される。第２及び第４縁部７２、７４は、フランジ状の封止６６を形成することによりつくられる。生理用ナプキン２０は、非接着セクション５１及び５２で接着手段の接着セクション４１、４２、及び４３と交差する折り畳み線Ｆ１及びＦ２付近で折り畳まれるので、個々に包まれた生理用ナプキン２０は、接着セクション４１、４２、及び４３のいかなる部分も含まない縁部分を有する。これは、個々に包まれた生理用ナプキン２０の縁部分７１及び７３のみが紫外線に曝される場合、接着セクション４１、４２、及び４３が、紫外線による黄ばみから防護され得ることを意味する。
【００３２】
図６は、よりよく理解するために包みシート２６が取り除かれた生理用ナプキン２１の底面図であり、これは本発明の別の好ましい実施形態である。好ましい実施形態では、本発明の接着手段は、着用者の下着に生理用ナプキン２１を取り付けるためにバックシート３４の衣類に面する表面２４に配置した接着ファスナを含む。接着ファスナは、包みシート２６で保護される複数箇所の接着セクションを含む。複数箇所の接着セクションは、少なくとも１箇所の非接着セクションで互いに空間をあけている。
図６に示される好ましい実施形態では、接着ファスナは、４箇所の非接着セクション５３〜５６で互いに空間をあけた複数箇所の接着セクション４４〜４９を含む。図２に示される実施形態と同様に、接着ファスナには、いかなる接着材料が使用されてもよい。好ましくは、感圧接着剤が接着ファスナに使用される。生理用ナプキン２１も、図６に示されるように、非接着セクション４４〜４９で接着手段と交差する２本の折り畳み線Ｆ１及びＦ２付近で折り畳まれる。
図６に示される実施形態では、包みシート２６が、接着ファスナに取り外し可能に貼着されるように、すなわち、着用者が使用するために包みシート２６を取り除く時破壊しないように、包みシート２６の身体に面する表面２２は、剥離コーティング（好ましくはシリコーンコーティング）を設けている。好ましくは、そのような剥離コーティングは、包みシート２６の光透過率に有意に影響を及ぼさず（又は変化させず）、包みシート２６から見られる美的特徴を守る。
【００３３】
所望する場合、剥離コーティングを、包みシート２６の、接着ファスナと実質的に接触する領域（すなわち、接着セクション４４〜４９）のみをコーティングすることにより設けてもよい。あるいは、包みシート２６の表面全体がコーティングされてもよい。包みシートの表面全体のコーティングは、米国特許第５，１８１，６１０号（クイック（Quick）ら、１９９３年１月２６日発行）に開示されている。
【００３４】
図７は、図６の生理用ナプキン２１の底面図である。図７では、接着ファスナの接着セクション４４〜４９は、包みシート２６で保護されている。図１に示される実施形態と同様に、生理用ナプキン２１及び包みシート２６は折り畳み線Ｆ１及びＦ２付近で折り畳まれた後、図５に示されるものと同様の個々に包まれた構造体がつくられる。生理用ナプキン２１及び包みシート２６は、非接着セクション５３〜５６で接着手段の接着セクション４４〜４９と交差する折り畳み線Ｆ１及びＦ２付近で折り畳まれるので、個々に包まれた生理用ナプキン２１は、接着セクション４４〜４９のいかなる部分も含まない縁部分を有する。これは、個々に包まれた生理用ナプキン２１の縁部分のみが紫外線に曝される場合、接着セクション４４〜４９は紫外線による黄ばみから防護され得ることを意味する。
【００３５】
トップシート３２は、好ましくは、柔軟性があって、柔らかい感触で、着用者の皮膚に刺激がない。更に、トップシート３２は、液体透過性か又は浸透性であり、体液（例えば、経血及び／又は尿）が、その厚さを容易に通過することができる。トップシートに好適な液体透過性材料は、織布材及び不織布材（例えば、繊維の不織布ウェブ）；孔あき成形熱可塑性フィルム、孔あきプラスチックフィルム、及びハイドロフォーミングされた熱可塑性フィルムなどの高分子材料；多孔質発泡体；網状発泡体；網状熱可組成フィルム；及び熱可塑性スクリムなどの多種多様な材料から製造されてもよい。トップシート３２が不織布ウェブを含む場合、同ウェブは、多くの既知の技術で製造されてよい。例えば、同ウェブは、スパンボンドされるか、毛羽立てられるか、湿式載置されるか、メルトブローされるか、水流交絡されるか、又は上記の組み合わせなどを施されてもよい。トップシート３２の身体に面する表面２２は、界面活性剤で処理して親水性にされてもよい。トップシート３２に特に好適な材料は、トレデガー・フィルムプロダクツ社（Tredegar Film Products）（インディアナ州）からＸ−２７１２１のコード番号で入手できる巨視的に伸張し、３次元に成形したポリエチレンフィルムである。
【００３６】
バックシート３４は、体液に対して不透過性であり、また好ましくは、薄いプラスチックフィルムから製造されるが、他の可撓性液体不透過性材料が使用されてもよい。本明細書において、「可撓性」は、柔軟性があって、人間の身体の一般的な形状及び輪郭に容易に適合する材料を指す。バックシート３４は、吸収性コア３６に吸収され、含有された体液が、ベッドシーツ、パンツ、パジャマ、及び下着など、吸収性物品と接触する物品を濡らすのを防ぐ。故に、バックシート３４は、織布材若しくは不織布材、ポリエチレン若しくはポリプロピレンの熱可塑性フィルムなどのポリマーフィルム、又はフィルムをコーティングした不織布材などの複合材料を含んでもよい。
バックシート３４は、１層の材料を含んでもよく、２層以上の材料を含んでもよい。バックシート３４は、好ましくは、約０．０１２ｍｍ（０．５ミル）〜約０．０５１ｍｍ（２．０ミル）の厚さを有する。好ましい実施形態では、バックシート３４は、１層のポリエチレンフィルムである。そのような好ましいポリエチレンフィルムは、スワソン・プラスチック社（Swanson Plastics Corporation）（台湾、台北）からＪＰＥ−１６８−Ｐのコード番号で入手できる。
バックシート３４は、好ましくは、蒸気は吸収性コア（「通気性バックシート」と呼ばれることが多い）から逃がすものの、体液がバックシート３４を通過するのを防ぐ微小多孔性構造を有する。好ましい微小多孔性ポリエチレンフィルムは、三菱化学株式会社（Mitsubishi Chemical Corporation）（東京）からＮＡＰのコード番号で入手できる。衣類に接触する層の寸法は、吸収性コア３６の寸法及び選択される正確な吸収性物品のデザインにより画定する。
好ましい実施形態では、バックシート３４は、身体に面する表面２２又は衣類に面する表面２４のどちらかに転写された、消費者の注意を引くための美的特徴、例えば、グラフィックを有する。好ましい美的デザインには、例えば、花（例えば、タンポポ）などの植物、猫などのかわいい動物、漫画のキャラクター、雪だるまなどの季節感のあるもの又は品物、風景などが挙げられる。美的デザインは、グラビア印刷、フレキソ印刷、オフセット印刷、インクジェット印刷などが挙げられるがこれらに限定されない、当該技術分野において既知のいかなる従来の転写方法又は技術で転写されてもよい。
【００３７】
吸収性コア３６は、排泄された体液を収容するか、吸収するか、又は保持することができる。吸収性コア３６は、好ましくは、圧縮可能で、適合性があり、また着用者の皮膚に刺激がない。吸収性コア３６は、１層の材料で形成されても、複数層の材料で形成されてもよい。吸収性コアは、エアフェルトと一般に称される粉砕木材パルプなど、当該技術分野において既知の多種多様の液体吸収性材料のいずれを含んでもよい。
好ましい実施形態では、吸収性コア３６は、好ましくは、マルチボンドエアレイド不織布材を含む。この実施形態において、このマルチボンドエアレイド不織布材は、約５２％のセルロース繊維、約２０％のバイコンポーネント繊維、約２５％の超吸収性ヒドロゲル形成材料（又は吸収性ゲル材料）の粒子、及び約３％のラテックス結合剤を含む。吸収性コア３６は、好ましくは、約１５０ｇ／ｍ2の坪量を有し、吸収性ゲル材料の粒子を含む。好ましいマルチボンドエアレイド不織布材は、ＢＢＡ（中国）エアレイド社（BBA（China）Airlaid Co.Ltd.）（中国、天津）からＢ８８８．Ｍ．１５０Ｓ１７のコード番号で、ロール形状で得られる。
吸収性コア３６は、多種多様の寸法及び形で製造されてよい。故に、吸収性コア３６は、その平面図においていかなる形を取ってもよい。吸収性コア３６の好ましい形には、楕円形、矩形、砂時計形、及び図１に示されるもののような楕円形と矩形の組み合わせが挙げられる。
【００３８】
好ましい実施形態では、当該技術分野において既知の獲得層又は第２トップシート（図に示さず）が、トップシート３２と吸収性コア３６の間に追加的に配置されてもよい。獲得層は、身体に接触する層３０が収容した排泄された体液を、吸収性コア３６によって吸収されることができるまで一時的に保持することがあるものの、獲得層の他の部分及び吸収性コア３６まで迅速に移送する。好ましい１つの実施形態では、獲得層は、コンセルト社（Concert GmbH）（ドイツ、ファルケンハーゲン（Falkenhagen））からＧＨ０８２のコード番号で入手できるエアレイドティッシュ材である。別の好ましい実施形態では、獲得層は、ポリエチレン−ポリプロピレンのバイコンポーネント繊維の毛羽立ててカレンダーにかけた親水性不織布材であり、これは、カンナシウング・エンタープライズ社（Kang Na Hsiung Enterprise Co.,Ltd.）（台湾、台北）からＣＢ０１８−Ｙのコード番号で入手できる。
【００３９】
生理用ナプキン２０及び２１は一般に、比較的厚い厚さ、中間の厚さ、比較的薄い厚さ、又は非常に薄い（又は「超薄い」）厚さを含むいかなる厚さも有し得る。好ましくは、約３ｍｍ未満の厚さを有する好ましい「超薄型」生理用ナプキンが、米国特許第４，９５０，２６４号及び同５，００９，６５３号（オズボーン（Osborn））に説明されている。図１〜図４に示す生理用ナプキン２０及び２１の実施形態は、超薄型生理用ナプキンの実施例である。生理用ナプキン２０及び２１はまた、着用者にとって快適であるように、比較的可撓性であってもよい。
【００４０】
好ましい実施形態では、生理用ナプキン２０は、トップシート３２及びバックシート３４の横断方向に伸びた部分で形成される任意の対のフラップ（図に示さず）を含む。フラップは、典型的には、生理用ナプキン２０の中央区域から外側に伸びる。
【００４１】
好ましくは、フラップ４４は、本体部分と一体である（すなわち、フラップはトップシート３２及びバックシート３４の一体式の伸長部を含む）。フラップはいかなる好適な形態であってもよい。好適なフラップが、米国特許第５，３８９，０９４号（ラバシュ（Lavash）ら、１９９５年２月１４日発行）と、米国特許第５，５５８，６６３号（ワインバーガー（Weinberger）ら、１９９６年９月２４日発行）に説明されている。
【００４２】
図８は、個々に包まれた生理用ナプキン２０（又は２１）を収納した使い捨て吸収性製品の斜視図である。個々に包まれた生理用ナプキン２０は、積み重ねられて、また好ましくは圧縮されて、１つの（又は所望する場合、それより多い）積み重ね体を形成し、次に、パッケージ１００に収納される。
【００４３】
パッケージ１００は、いかなる好適な材料によっても形成でき、また当該技術分野において既知のいかなる構造も取り得る。例えば、パッケージ１００は、厚紙材料で形成される厚紙の箱（又はカートン）であってもよい。図８に示す好ましい実施形態では、パッケージ１００は、薄いシート材料で形成される可撓性バッグである。そのような薄いシート材料は、紙、プラスチック、又はいかなるリサイクル可能な材料で作製されてもよく、また上述の材料の２つ以上からなる積層体構造をなしてもよい。パッケージの材料は、ポリマーフィルム（例えば、ポリプロピレンフィルム及びポリエチレンフィルム）など、非生分解性の材料又はリサイクル不可能な材料であってもよい。
【００４４】
図７に示されるパッケージ１００は、好ましくは薄いフィルム材の連続管で形成される可撓性バッグである。図８に示すパッケージ１００に好ましいフィルム材は、ポリエチレンフィルムである。そのような好ましいポリエチレンフィルム材（透明）は、リアンビン社（LianBin Co.,Ltd.）（台湾）から９５１４３５７８及び９５１４３５８１のコード番号で供給される。パッケージ１００の２枚の側面部分は、封止線８２に沿ってポリプロピレンフィルムを封止することによって形成されるサイドガセット（横ひだ）構造体８０を形成することにより閉じられる。パッケージ１００は、前側パネル１１、前側パネル１１に対向する後側パネル１２、前側パネル１１及び後側パネル１２を接続するサイドパネル１３、前側パネル１１、後側パネル１２、及びサイドパネル１３を接続する上部パネル１４、並びに上部パネル１４に対向する底部パネル１５を含む。前側パネル１１、後側パネル１２、サイドパネル１３、及び上部パネル１４、底部パネル１５の各対は、図８に示されるようにほぼ平面的である。この実施形態では、個々に包まれた生理用ナプキン２０は、図８に示されるような２枚のサイドパネル１３に垂直な方向に積み重ねられるが、好まれる場合は、上部パネル１４及び底部パネル１５に垂直な方向に積み重ねられてもよい。
【００４５】
パッケージ１００は、少なくとも１つの透明な窓１６を有する。透明な窓１６は、パッケージ１００のどのパネルにも設けることができる。所望する場合、複数の透明な窓をパッケージ１００に設けてもよい。あるいは、連続する１つの窓が２枚の（又は、可能な場合、それより多い）パネルに形成されてもよい。１つの実施形態では、透明な２つの窓が、例えば、前側パネル１１及び後側パネル１２に設けられる。図８に示す実施形態では、パッケージ１００は、前側パネル１１に配置した（ただし、サイドパネル１３内に僅かに伸びる）透明な１つの窓１６を有する。
【００４６】
透明な窓１６は、少なくとも半透明であるべきである。好ましくは、窓１６は、パッケージ１００において、個々に包まれた生理用ナプキン２０の好ましい外観を提供できるように、充分な透明性を有する。しかし、窓１６は、必ずしも完全に透明である必要はない。パッケージ１００内に収納した個々に包まれた生理用ナプキン２０を、窓１６を通して見ることができる限り、窓１６はやや半透明であってもよい。
【００４７】
図８に示すように、各々の個々に包まれた生理用ナプキン２０は、折り畳み線Ｆ１及びＦ２各々付近で同ナプキン２０を折り畳むことにより形成される第１縁部７１及び第３縁部７３を含む４つの縁部７１〜７４を有する。好ましくは、積み重ねた個々に包まれた生理用ナプキン２０は、各生理用ナプキン２０の第１縁部７１（折り畳み線Ｆ１で形成された）がパッケージ１００の透明な窓１６に向いて位置するように、透明な窓１６と関連して配置される。これは、個々に包まれた生理用ナプキン２０がパッケージ１００内に配置される時、各生理用ナプキン２０の方向が透明な窓１６の位置に関して調整されることを意味する。より具体的には、図８の実施形態に示すように、各生理用ナプキン２０の方向は、各ナプキン２０の第１縁部７１が、透明な窓１６に至近位置（他の縁部７２〜７４と比較して）に来るように調整される。各生理用ナプキン２０の第１縁部７１には、接着手段の接着セクション４１、４２、及び４３を含む縁部分がないので、この配置は都合がよい。結果として、接着セクション４１、４２、及び４３は、透明な窓１６を通してパッケージ１００に入ってくる紫外線で起こる黄ばみから防護され得る。
【００４８】
透明な窓１６は、円形、正方形、長方形、台形、楕円形、矩形など、いかなる形をとってもよく、図８に示すもののような他のいかなる形をとってもよい。窓１６を通して有効に生理用ナプキン２０を見ることができる限り、窓１６はいかなる寸法又は大きさを有してもよい。収納した生理用ナプキン２０を、窓１６を通して見ることができるように、窓１６は、好ましくは、充分な寸法（例えば、長方形の窓では長さ及び幅）を有する。好ましくは、窓１６は収納した生理用ナプキン２０の少なくとも３０％、より好ましくは約６０％〜約１００％を、窓１６を通して見ることができるように、充分な寸法を有する。窓１６は、ユーザが複数のタイプの生理用ナプキン２０を等しく消費するのを可能にする。窓１６は、購買時に消費者（又は購買者）が、複数のタイプの生理用ナプキン２０がパッケージ１００に収納されていることを理解するのも可能にする。
透明な窓１６は、当該技術分野において既知のいかなる手段でも形成できる。好ましくは窓１６は、窓１６を取り囲む区域から窓１６の半透明性又は透明性を差別化することにより形成される。透明なポリエチレンフィルムがパッケージ１００として使用される時、窓１６の半透明性又は透明性は、パッケージ１００に使用される塗料又はインクの量を変えることにより調節できる。あるいは、窓１６の半透明性又は透明性は、窓１６の中の区域と、窓１６を取り囲む区域とで異なる塗料を使用することにより調節できる。図８に示す実施形態では、窓１６が高い透明性を有するように、窓１６の区域に塗料又はインクを塗布せず、窓１６を取り囲む区域（サイドパネル１３に封止線８２を形成するのに必要な区域を含む）を不透明にする塗料を塗布することで窓１６は形成できる。好ましくは、透明な窓１６以外の部分は、不透明であるべきでないか又は少なくとも半透明であるべきでない。
【００４９】
パッケージ１００が厚紙材料（図に示さず）で形成される実施形態では、窓１６は、切断によって厚紙材料の少なくとも一部分を取り除くことにより形成される。収納した生理用ナプキン２０が外側から有効に保護され得るように、好ましくは、切断部分は、窓部分でパッケージの壁の内側表面に取り付けた別個のシート材料（例えば、半透明なフィルム材か又は透明なフィルム材）で覆われる。
【００５０】
好ましくは、開放装置１８は、サイドパネル１３の１枚に設けられる。ユーザが生理用ナプキン２０を容易につまみ上げることができるように、開放装置１８は、好ましくは、充分な寸法（例えば、長さ）を有する。開放装置１８は、当該技術分野において既知のいかなる構造、形、及び大きさであってもよい。開口装置１８は、好ましくは、サイドパネル１３内で伸びる脆弱線を含む。図８に示す実施形態では、脆弱線は、サイドパネル１３内に形成した穿孔線を含む。所望する場合、脆弱線は、サイドパネル１３から他のパネル内に伸びてもよい。
【００５１】
（試験方法）
このセクションでは、シート材料の光透過率を決定するための好ましい１つの方法を説明する。光透過率を決定するための、当該技術分野において既知の他の方法も適用可能であることに注意されたい。
【００５２】
光透過率分析器が、好ましくは、サンプルシート材料の光透過率を測定するのに使用される。好ましい光透過率分析器は、野村商事株式会社（Nomura Shoji Co.,Ltd.）（東京）から「フォーメーションテスタ（Formation Tester）」という商標名と、ＦＭＴ−２０００のコード番号で入手できる。この光透過率分析器は、ハロゲンランプ（１２Ｖ、７５Ｗ）を有する光源と、開放窓を有するサンプルホルダテーブルと、ＣＣＤカメラ（２５６×２４３ピクセル）と、コンピュータとを含む。光源を、サンプルホルダテーブルの一方の側から離して置き、一方、ＣＣＤカメラは、サンプルホルダテーブルのもう一方の側から離して置く。ＣＣＤカメラのレンズとサンプルホルダテーブルの距離は、約４１５ｍｍである。窓の開放領域は、その有効開放領域が４０×４５ｍｍの方形となるように調節される。
【００５３】
測定にあたって、ハロゲンランプのスイッチを入れる。サンプルシート材料がサンプルホルダテーブルによって保持されていない時に、参照光量（Ｖｒ）をＣＣＤカメラで測定し、コンピュータで記録する。サンプルシート材料は、有効開放領域においてハロゲンランプから発せられた光を受け取るように、サンプルホルダテーブルによって保持される。光はサンプルシート材料を通過して、ＣＣＤカメラに達する。次いで、ＣＣＤカメラの各ピクセルによってサンプルの光量（Ｖｓ）を測定し、コンピュータで記録する。このプロセスを１つのサンプルシート材料につき少なくとも３回繰り返し、光量の平均値（Ｖｒａｖ及びＶｓａｖ）を計算し、コンピュータで記録する。次いで、コンピュータは次の式により光透過率（ＬＴ）を計算する。
【００５４】
ＬＴ＝（Ｖｓａｖ／Ｖｒａｖ）×１００（％）              −−−（１）
「発明を実施するための最良の形態」において引用されるすべての文献は、その関連部分において本明細書に参考として組み込まれるが、いずれの文献の引用も、それが本発明に対する先行技術であることを認めるものと解釈されるべきではない。
【００５５】
本発明の特定の実施形態について説明し記載したが、本発明の精神及び範囲から逸脱することなく、その他の様々な変更及び修正を実施できることが、当業者には自明である。したがって、本発明の範囲内にあるそのようなすべての変更及び修正を、添付の特許請求の範囲で扱うものとする。
【図面の簡単な説明】
【００５６】
【図１】下層構造を露呈するために切り取った部分を有する、本発明の好ましい１つの実施形態である生理用ナプキンの平面図。
【図２】図１の生理用ナプキンの底面図（図中、より良く理解するために、取り外し可能な剥離ライナー及び包みシートは取り除かれている）。
【図３】図１の生理用ナプキンの底面図（図中、より良く理解するために包みシートは取り除かれている）。
【図４】図１の生理用ナプキンの底面図（包みシートを有する。
【図５】包みシートで包まれる、図１に示す生理用ナプキンの斜視図。
【図６】本発明の別の好ましい実施形態である生理用ナプキンの底面図（図中、より良く理解するために包みシートは取り除かれている）。
【図７】図６の生理用ナプキンの底面図（包みシートを有する）。
【図８】本発明の好ましい１つの実施形態である、積み重ねた生理用ナプキンを収納した使い捨て吸収性製品の斜視図。
【図１】
0004455587.tif 000002
【図２】
0004455587.tif 000003
【図３】
0004455587.tif 000004
【図４】
0004455587.tif 000005
【図５】
0004455587.tif 000006
【図６】
0004455587.tif 000007
【図７】
0004455587.tif 000008
【図８】
0004455587.tif 000009